(57)【要約】  【課題】  適切な耕耘作業ができる部分深耕機を提供する。  【解決手段】部分深耕機１は、トラクタの走行により移動しながら圃場の深い位置の土まで耕耘するチゼルプラウである。部分深耕機１は支持体11を備え、この支持体11には土を切削して持ち上げる作業面部13を板受け体14を介して設ける。作業面部13の側端の後方位置には、支持体11の側面への土付着を防止する互いに平行状の左右一対の土付着防止面部15を配設する。  【選択図】図１
2005176643.tif 000002
【特許請求の範囲】
【請求項１】
走行車の走行により移動しながら圃場の深い位置の土まで耕耘する部分深耕機であって、
支持体と、
この支持体に設けられ、土を切削して持ち上げる作業面部と、
この作業面部の後方位置に配設され、前記支持体への土付着を防止する土付着防止面部と
を備えることを特徴とする部分深耕機。
【請求項２】
走行車の走行により移動しながら圃場の深い位置の土まで耕耘する部分深耕機であって、
支持体と、
この支持体に設けられ、土を切削して持ち上げる作業面部と、
この作業面部の後方位置から外側に向って突出状に配設され、前記支持体への土付着を防止する土付着防止面部と
を備えることを特徴とする部分深耕機。
【請求項３】
土付着防止面部は、土の付着しにくい摩擦減少部材にて構成されている
ことを特徴とする請求項１または２記載の部分深耕機。
【発明の詳細な説明】
【技術分野】
【０００１】
本発明は、適切な耕耘作業ができる部分深耕機に関するものである。
【背景技術】
【０００２】
従来、例えばトラクタ等の走行車の走行により移動しながら圃場の深い位置の土まで耕耘する部分深耕機（チゼルプラウ）としては、土を切削して持ち上げる作業面部をナイフ等の支持体の前端部にこの前端部に沿って補強部材であるブラケットを介して取り付けた構造のものが知られている（例えば、特許文献１参照）。
【特許文献１】特開平０９−３２２６０１号公報
【発明の開示】
【発明が解決しようとする課題】
【０００３】
しかしながら、上記従来の部分深耕機では、支持体の側面に土が付着しその付着土が凸状に硬化するという不具合が生じやすいため、適切な耕耘作業ができないおそれがある。
【０００４】
本発明は、このような点に鑑みなされたもので、適切な耕耘作業ができる部分深耕機を提供することを目的とする。
【課題を解決するための手段】
【０００５】
請求項１記載の部分深耕機は、走行車の走行により移動しながら圃場の深い位置の土まで耕耘する部分深耕機であって、支持体と、この支持体に設けられ、土を切削して持ち上げる作業面部と、この作業面部の後方位置に配設され、前記支持体への土付着を防止する土付着防止面部とを備えるものである。
【０００６】
そして、土付着防止面部にて支持体への土付着を防止できるため、従来の部分深耕機に比べて適切な耕耘作業が可能である。
【０００７】
請求項２記載の部分深耕機は、走行車の走行により移動しながら圃場の深い位置の土まで耕耘する部分深耕機であって、支持体と、この支持体に設けられ、土を切削して持ち上げる作業面部と、この作業面部の後方位置から外側に向って突出状に配設され、前記支持体への土付着を防止する土付着防止面部とを備えるものである。
【０００８】
そして、土付着防止面部にて支持体への土付着を防止できるため、従来の部分深耕機に比べて適切な耕耘作業が可能である。
【０００９】
請求項３記載の部分深耕機は、請求項１または２記載の部分深耕機において、土付着防止面部は、土の付着しにくい摩擦減少部材にて構成されているものである。
【００１０】
そして、土付着防止面部が土の付着しにくい摩擦減少部材にて構成されているため、より一層適切な耕耘作業が可能である。
【発明の効果】
【００１１】
請求項１記載の部分深耕機によれば、土付着防止面部にて支持体への土付着を防止できるため、従来の部分深耕機に比べて適切な耕耘作業ができる。
【００１２】
請求項２記載の部分深耕機によれば、土付着防止面部にて支持体への土付着を防止できるため、従来の部分深耕機に比べて適切な耕耘作業ができる。
【００１３】
請求項３記載の部分深耕機によれば、土付着防止面部が土の付着しにくい摩擦減少部材にて構成されているため、より一層適切な耕耘作業ができる。
【発明を実施するための最良の形態】
【００１４】
本発明の部分深耕機の一実施の形態を図面を参照して説明する。
【００１５】
図１ないし図３において、１は部分深耕機（チゼルプラウ）で、この部分深耕機１は、走行車であるトラクタ（図示せず）に連結して使用する牽引式のものである。
【００１６】
そして、部分深耕機１は、トラクタの走行（牽引動作）により圃場を進行方向前方（図１および図２における矢印方向）に移動しながら、圃場の深い位置（耕耘深さは例えば３０〜４５ｃｍ）の土（例えば心土層の土である心土）まで耕耘する耕耘作業機である。
【００１７】
なお、部分深耕機１は、圃場の心土層および耕盤層を幅狭縦長状（作業幅は例えば７〜８ｃｍ）に切削して溝部を形成するとともにその切削した土を圃場表面（図示Ｇ）の上方まで持ち上げて圃場表面上に反転放てきすることにより下層土と上層土とを混和させるもので、プラウの天地返しとサブソイラの心土破砕との両方の機能を発揮するものである。
【００１８】
部分深耕機１は、図示しないトラクタの後部の３点リンク部（作業機昇降支持装置）に前部が連結された機枠２を備えている。
【００１９】
機枠２は、進行方向に対する左右方向にやや長手状の主フレーム部３を有している。主フレーム部３には走行車連結部であるトラクタ連結部４が前方に向って突出した状態に設けられ、このトラクタ連結部４がトラクタの後部の３点リンク部に連結されている。なお、機枠２のトラクタ連結部４は、トップピン５を先端部に有するトップマスト６と、ロワピン７を先端部に有する左右一対のロワアーム８とにて構成されている。
【００２０】
また、主フレーム部３の左右方向略中央部には、進行方向に対する前後方向にやや長手状で略板状の枠部９が後方に向って突出した状態に設けられている。そして、機枠２の枠部９の後端部には、耕耘作業時に圃場の土中深く挿入される縦長状で略板状の支持体（ビーム）11が下方に向って突出した状態に設けられている。
【００２１】
支持体11は、板厚方向を左右方向とした略板状のもので、この支持体11の略下半部が前方に向って湾曲し、この支持体11の上端部が機枠２の枠部９の後端部に着脱可能に取り付けられている。
【００２２】
そして、支持体11には、支持体11の前方位置で圃場の土を切削して持ち上げて反転放てきする作業面部13が支持体11の前端部に略沿って略湾曲状に位置するように板受け体14を介して設けられている。
【００２３】
また、支持体11の板厚寸法より大きい作業幅で作業する作業面部13の左右の側端の後方位置には、前後方向に沿って互いに平行状に位置し支持体11の側面への土付着を防止する左右一対の土付着防止面部15が配設され、これら左右一対の土付着防止面部15間に支持体11の略全体が配設されている。すなわち、土付着防止面部15は、作業面部13の後方位置に支持体11の側面から離れた状態で配設され、この支持体11の側面の側方部が土付着防止面部15にて覆われている。
【００２４】
なお、図２から明らかなように、作業面部13の側端面13aと、土付着防止面部15の表面（つまり作業面部13の通過により形成される溝部の側壁面と摺接する面）15aとは、略同一面上に位置する。
【００２５】
ここで、板受け体14は、板厚方向を前後方向とした略湾曲板状の板受け本体板部21を有し、この板受け本体板部21の左右方向に沿った幅寸法は支持体11の板厚寸法より大きくなっている。そして、板受け体14の板受け本体板部21の前面には、上下に隣接して位置する金属製の第１作業板（チゼル）23および合成樹脂製の第２作業板（センターボード）24が着脱可能に貼着されている。なお、第１作業板23および第２作業体24にて作業面部13が構成されている。
【００２６】
また、板受け体14の板受け本体板部21の後面からは、１つの第１突出部26および４つの第２突出部27が後方に向ってそれぞれ突出している。第１突出部26は、取付具28にて支持体11の所定部位に着脱可能に取り付けられている。
【００２７】
一方、第２突出部27には、金属製の受け板である樹脂受け板30が取付具29にて着脱可能に取り付けられ、この樹脂受け板30の外面に土の付着しにくい摩擦減少部材である合成樹脂側板31が取付具（ビスネジ等）32にて着脱可能に貼着されている。なお、合成樹脂側板31にて土付着防止面部15が構成されている。また、支持体11の下端部には圃場の土中を走行するウイング33が取り付けられている。
【００２８】
次に、上記一実施の形態の作用等を説明する。
【００２９】
部分深耕機１を使用して耕耘作業をする場合、図示しないトラクタの３点リンク部に機枠２のトラクタ連結部４を連結することにより、トラクタの３点リンク部に部分深耕機１を連結装着する。
【００３０】
その後、トラクタの３点リンク部を作動させて部分深耕機１を所定量下降させることにより支持体11等を圃場の土中に深く挿入する。そしてこの挿入状態で、トラクタの前進走行させて部分深耕機１を進行方向前方に移動させると、圃場の土が作業面部13にて切削されて圃場面上方まで持ち上げられ、反転放てきされる。
【００３１】
そして、このような耕耘作業時には、作業面部13の通過により圃場には幅狭縦長状の溝部（図示せず）が一旦形成され、左右一対の土付着防止面部15はいずれもその溝部の側壁面と摺接しながら進行方向前方に移動し、この土付着防止面部15の存在により支持体11の側面への土付着が防止される。
【００３２】
このように部分深耕機１によれば、左右一対の土付着防止面部15にて支持体11の両側面への土付着を適切に防止できるため、支持体11の側面に土が付着しその付着土が凸状に硬化するという不具合が生じるようなことがなく、牽引抵抗の増大も防止でき、従来の部分深耕機に比べて適切な耕耘作業ができる。
【００３３】
なお、部分深耕機１は、平面視で互いに平行な左右一対の土付着防止面部15を備える構成には限定されず、例えば図４に示すように、平面視で進行方向後端ほど離間距離が長い略ハ字形をなすように作業面部13の側端の後方位置より外側に配設された左右一対の土付着防止面部15を備える構成でもよい。
【００３４】
この図４に示す土付着防止面部15は、図２に示す土付着防止面部15とは異なり、作業面部13の側端の後方位置から外側に向って突出状に配設されている。すなわち例えば合成樹脂側板31にて構成された土付着防止面部15は、作業面部13の側端の後方位置から前後方向に対して所定角度αだけ傾斜した傾斜方向に沿って外側に向って突出しており、前端が作業面部13の側端の後方位置に位置しかつ後端ほど作業面部13の側端の後方位置より外側に位置した傾斜状態となっている。
【００３５】
そして、このような傾斜状態に配設された合成樹脂製の土付着防止面部15は、支持体11の側面への土付着を防止するとともに、作業面部13の通過により形成される溝部の側壁面と摺接しつつこの側壁面を押圧して崩れにくくするため、より一層適切な耕耘作業ができる。
【００３６】
また、例えば図５に示すように、弾性変形可能な合成樹脂製の土付着防止面部15の前端部を板受け体14の第２突出部27に直接取り付け、土付着防止面部15の後端側をその後端が弾性変形により作業面部13の側端の後方位置に位置するように自由端部とした構成でもよい。
【００３７】
さらに、土付着防止面部15は、合成樹脂側板31にて構成されたものには限定されず、例えばステンレス板等にて構成されたもの等でもよい。
【００３８】
また、土付着防止面部15を樹脂受け板30を介して板受け体14に設けた構成には限定されず、例えば土付着防止面部15を支持体11に直接的或いは間接的に設けるようにしてもよい。
【００３９】
さらに、作業面部13を支持体11に板受け体14を介して設けた構成には限定されず、例えば作業面部13を板受け体14等を介さずに支持体11に直接設けるようにしてもよい。
【００４０】
また、部分深耕機１は、平面視で進行方向前端ほど離間距離が長い略ハ字形をなすように作業面部13の側端の後方位置より内側に配設された左右一対の土付着防止面部15を備えるようなもの等でもよい。
【００４１】
さらに、作業面部13は、互いに別体の第１作業板23および第２作業板24にて構成された作業面部分割タイプには限定されず、合成樹脂製或いは金属製の１枚状の板（例えばねじり板、或いはねじられていない板等）にて構成された作業面部一体タイプ等でもよい。
【００４２】
また、反転性の向上を図るために、作業面部13の上端部のみを進行方向前方に対してやや傾斜した右斜め前方（または左斜め前方）に向けた構成としてもよい。
【００４３】
さらに、部分深耕機１は、支持体11等を複数にした複数連の構成とすることもできる。また部分深耕機１は、支持体11等がトラクタ側からの動力で振動するようにしてもよい。
【図面の簡単な説明】
【００４４】
【図１】本発明の部分深耕機の一実施の形態を示す側面図である。
【図２】同上部分深耕機の部分平面図である。
【図３】同上部分深耕機の部分背面図である。
【図４】本発明の部分深耕機の他の実施の形態を示す部分平面図である。
【図５】本発明の部分深耕機のさらに他の実施の形態を示す部分平面図である。
【符号の説明】
【００４５】
１    部分深耕機
11    支持体
13    作業面部
15    土付着防止面部
31    摩擦減少部材である合成樹脂側板
【図１】
2005176643.tif 000003
【図２】
2005176643.tif 000004
【図３】
2005176643.tif 000005
【図４】
2005176643.tif 000006
【図５】
2005176643.tif 000007